(57)【要約】【課題】ある接続先に接続中の携帯型情報端末が移動して次の接続先に切り替える際に、次の接続先に対する認証を行うことでセキュリティを守ることができる接続システム等を提供する。【解決手段】各前記接続先１０，１２は、携帯型情報端末１毎の認証情報を提供する認証情報提供手段５３を備え、前記携帯型情報端末１は、現在地を測位する測位手段１１ｈ，３１と、前記現在地をゾーン内に含む接続先に対応した前記認証情報を入力する認証情報入力手段と、前記接続先から取得された前記認証情報と入力された前記認証情報とにより認証を行う認証手段３８と、前記認証後に、認証した前記接続先に接続する接続手段３５とを備えることを特徴とする接続システム。【選択図】　　　　図４
2004096450.tif 000002
【特許請求の範囲】
【請求項１】
移動可能であって、移動先の現在地をゾーン内に含む接続先に接続する携帯型情報端末が、複数の接続先にそれぞれ対応した認証情報に基づいて認証を受けた後に、認証された前記接続先に接続する接続システムであって、
各前記接続先は、
前記携帯型情報端末毎の認証情報を提供する認証情報提供手段を備え、
前記携帯型情報端末は、
現在地を測位する測位手段と、
前記現在地をゾーン内に含む接続先に対応した前記認証情報を入力する認証情報入力手段と、
前記接続先から取得された前記認証情報と入力された前記認証情報とにより認証を行う認証手段と、
前記認証後に、認証した前記接続先に接続する接続手段と
を備えることを特徴とする接続システム。
【請求項２】
前記測位手段は、前記携帯型情報端末の本体に対して着脱可能であってＧＰＳ（Ｇｌｏｂａｌ　Ｐｏｓｉｔｉｏｎｉｎｇ　Ｓｙｓｔｅｍ）を利用して測位を行うカード状デバイスを含み、
前記本体には、前記カード状デバイスが取り外されたことを検出して前記携帯型情報端末の機能を停止する機能停止手段が設けられていることを特徴とする請求項１に記載の接続システム。
【請求項３】
前記携帯型情報端末は、複数の機能を備えており、認証後に接続した前記接続先に応じて、前記複数の機能から選択された少なくとも１つの機能を発揮することを特徴とする請求項１又は請求項２のいずれかに記載の接続システム。
【請求項４】
前記携帯型情報端末は、少なくとも１つの機能を備えており、
認証後に接続した前記接続先に応じて、前記少なくとも１つの機能を発揮させたり発揮させないように切り替えることを特徴とする請求項１又は請求項２のいずれかに記載の接続システム。
【請求項５】
前記接続先は、前記携帯型情報端末が一定距離移動した場合に、再度、前記認証情報の入力を要求する構成であることを特徴とする請求項１乃至請求項４のいずれかに記載の接続システム。
【請求項６】
前記認証情報にはパスワードが含まれていることを特徴とする請求項１乃至請求項５のいずれかに記載の接続システム。
【請求項７】
移動可能であって、移動先の現在地をゾーン内に含む接続先に接続する携帯型情報端末が、複数の接続先にそれぞれ対応した認証情報に基づいて認証を受けた後に、認証された前記接続先に接続する接続方法であって、
前記携帯型情報端末が現在地を測位する測位ステップと、
前記現在地をゾーン内に含む接続先に対応した前記認証情報を入力する認証情報入力ステップと、
前記携帯型情報端末が、前記接続先から取得された前記認証情報と入力された前記認証情報とにより認証を行う認証ステップと、
前記携帯型情報端末が、前記認証後に、認証した前記接続先に接続する接続ステップと
を有することを特徴とする接続方法。
【請求項８】
移動可能であって、移動先の現在地をゾーン内に含む接続先に接続する携帯型情報端末が、複数の接続先にそれぞれ対応した認証情報に基づいて認証を受けた後に、認証された前記接続先に接続する接続機能を発揮させる接続プログラムであって、
各前記接続先では、
前記携帯型情報端末毎の認証情報を提供する認証情報提供手段として、
前記携帯型情報端末では、
現在地を測位する測位手段と、
前記現在地をゾーン内に含む接続先に対応した前記認証情報を入力する認証情報入力手段と、
前記接続先から取得された前記認証情報と入力された前記認証情報とにより認証を行う認証手段と、
前記認証後に、認証した前記接続先に接続する接続手段と
して機能させることを特徴とする接続プログラム。
【請求項９】
移動可能であって、移動先の現在地をゾーン内に含む接続先に接続する携帯型情報端末が、複数の接続先にそれぞれ対応した認証情報に基づいて認証を受けた後に、認証された前記接続先に接続する接続機能を発揮させる接続プログラムを記録したコンピュータ読み取り可能な情報記録媒体であって、
各前記接続先では、
前記携帯型情報端末毎の認証情報を提供する認証情報提供手段として、
前記携帯型情報端末では、
現在地を測位する測位手段と、
前記現在地をゾーン内に含む接続先に対応した前記認証情報を入力する認証情報入力手段と、
前記接続先から取得された前記認証情報と入力された前記認証情報とにより認証を行う認証手段と、
前記認証後に、認証した前記接続先に接続する接続手段と
して機能を発揮させる接続プログラムを記録したことを特徴とするコンピュータ読み取り可能な情報記録媒体。
【請求項１０】
複数の接続先にそれぞれ対応した認証情報に基づいて認証を受けた後に、認証された前記接続先に接続する携帯型情報端末であって、
現在地を取得する測位手段と、
前記現在地をゾーン内に含む接続先に対応した前記認証情報を入力する認証情報入力手段と、
前記接続先から取得された前記認証情報と入力された前記認証情報とにより認証を行う認証手段と、
前記認証後に、認証した前記接続先に接続する接続手段と
を備えることを特徴とする携帯型情報端末。
【発明の詳細な説明】
【０００１】
【発明の属する技術分野】
本発明は、複数の接続先にそれぞれ対応した認証情報に基づいて認証を受けた後に、認証された接続先に接続する接続システム、接続方法、接続機能を有する接続プログラム、接続機能を有する接続プログラムを記録したコンピュータ読み取り可能な情報記録媒体及び、携帯型情報端末に関するものである。
【０００２】
【従来の技術】
近年の情報産業の発達によって、ＰＤＡ（Ｐｅｒｓｏｎａｌ　ＤｉｇｉｔａｌＡｓｓｉｓｔａｎｔ）やノート型パーソナルコンピュータのような携帯型情報端末が次々に開発されている。このような携帯型情報端末は、従来のデスクトップ型のコンピュータと同様に、ＬＡＮ（Ｌｏｃａｌ　Ａｒｅａ　Ｎｅｔｗｏｒｋ）のようなネットワークに対して有線のみならず無線で接続し、データ通信を行う技術を採用している。この無線ＬＡＮでは、無線を受信できるゾーン内においてデータ通信を行うことができる。
【０００３】
【発明が解決しようとする課題】
ところが、このような無線ＬＡＮでは、各端末が予め設定されたゲートウェイに対して接続を行うように構成されており、上記ゾーン内を移動する携帯型情報端末との間でデータ通信を無線で行うことができるにとどまっていた。つまり、携帯型情報端末が、複数の接続先に対して切り替えて自動的に接続する形態は従来考えられておらず、複数の接続先にそれぞれ接続する場合のセキュリティーについては考慮されていないのが現状であった。従って従来より、移動する携帯型情報端末が移動先に応じた接続先に接続する場合には、セキュリティを考慮することが望まれている。
【０００４】
本発明の目的は、上記課題を解消して、ある接続先に接続中の携帯型情報端末が移動して次の接続先に切り替える際に、次の接続先に対する認証を行うことでセキュリティを守ることができる接続システム、接続方法、接続機能を有する接続プログラム、接続機能を有する接続プログラムを記録したコンピュータ読み取り可能な情報記録媒体及び、携帯型情報端末を提供することである。
【０００５】
【課題を解決するための手段】
請求項１の発明は、移動可能であって、移動先の現在地をゾーン内に含む接続先に接続する携帯型情報端末が、複数の接続先にそれぞれ対応した認証情報に基づいて認証を受けた後に、認証された前記接続先に接続する接続システムであって、各前記接続先は、前記携帯型情報端末毎の認証情報を提供する認証情報提供手段を備え、前記携帯型情報端末は、現在地を測位する測位手段と、前記現在地をゾーン内に含む接続先に対応した前記認証情報を入力する認証情報入力手段と、前記接続先から取得された前記認証情報と入力された前記認証情報とにより認証を行う認証手段と、前記認証後に、認証した前記接続先に接続する接続手段とを備えることを特徴とする接続システムである。
請求項１の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、接続先からその認証情報を取得すると共に、測位した現在地をゾーン内に含む接続先に対応した認証情報が入力される。そして、携帯型情報端末では、取得された認証情報と入力された認証情報とによって認証が行なわれ、認証後に次の接続先に接続する。このようにすると、携帯型情報端末は、ある接続先に接続中に移動し、新しい次の接続先に切り替える際に認証が行われることで、セキュリティを守ることができるようになる。
【０００６】
請求項２の発明は、請求項１の構成において、前記測位手段は、前記携帯型情報端末の本体に対して着脱可能であってＧＰＳ（Ｇｌｏｂａｌ　Ｐｏｓｉｔｉｏｎｉｎｇ　Ｓｙｓｔｅｍ）を利用して測位を行うカード状デバイスを含み、前記本体には、前記カード状デバイスが取り外されたことを検出して前記携帯型情報端末の機能を停止する機能停止手段が設けられていることを特徴とする。
請求項２の構成によれば、携帯型情報端末では、例えば本体からカード状デバイスが取り外されると、携帯型情報端末の機能を停止することができる。このため、携帯型情報端末は、例えばカード状デバイスが取り外されて盗難にあった場合には携帯型情報端末として機能しなくなるので、カード状デバイスの盗難を防止することができる。
【０００７】
請求項３の発明は、請求項１又は請求項２のいずれかの構成において、前記携帯型情報端末は、複数の機能を備えており、認証後に接続した前記接続先に応じて、前記複数の機能から選択された少なくとも１つの機能を発揮することを特徴とする。
請求項３の構成によれば、携帯型情報端末は、接続先に関するゾーンに関係のない不要な機能を発揮しないようにすることができる。
【０００８】
請求項４の発明は、請求項１又は請求項２のいずれかの構成において、前記携帯型情報端末は、少なくとも１つの機能を備えており、認証後に接続した前記接続先に応じて、前記少なくとも１つの機能を発揮させたり発揮させないように切り替えることを特徴とする。
請求項４の構成によれば、携帯型情報端末は、認証後に接続された接続先に関係する機能のみを有効にすることで、その接続先に適した機能のみを発揮させたり発揮させないようにすることができる。
【０００９】
請求項５の発明は、請求項１乃至請求項４のいずれかの構成において、前記接続先は、前記携帯型情報端末が一定距離移動した場合に、再度、前記認証情報の入力を要求する構成であることを特徴とする。
請求項５の構成によれば、一定距離以上移動する携帯型情報端末が接続先に接続する際のセキュリティを確保することができる。
【００１０】
請求項６の発明は、請求項１乃至請求項５のいずれかの構成において、前記認証情報にはパスワードが含まれていることを特徴とする。
請求項６の構成によれば、パスワードによって認証されない携帯型情報端末が接続されることを防止することができる。
【００１１】
上記目的は、請求項７の発明にあっては、移動可能であって、移動先の現在地をゾーン内に含む接続先に接続する携帯型情報端末が、複数の接続先にそれぞれ対応した認証情報に基づいて認証を受けた後に、認証された前記接続先に接続する接続方法であって、前記携帯型情報端末が現在地を測位する測位ステップと、前記現在地をゾーン内に含む接続先に対応した前記認証情報を入力する認証情報入力ステップと、前記携帯型情報端末が、前記接続先から取得された前記認証情報と入力された前記認証情報とにより認証を行う認証ステップと、前記携帯型情報端末が、前記認証後に、認証した前記接続先に接続する接続ステップとを有することを特徴とする接続方法により、達成される。
請求項７の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、接続先からその認証情報を取得すると共に、測位した現在地をゾーン内に含む接続先に対応した認証情報が入力される。そして、携帯型情報端末では、取得された認証情報と入力された認証情報とによって認証が行なわれ、認証後に次の接続先に接続する。このようにすると、携帯型情報端末は、ある接続先に接続中に移動し、新しい次の接続先に切り替える際に認証が行われることで、セキュリティを守ることができるようになる。
【００１２】
上記目的は、請求項８の発明にあっては、移動可能であって、移動先の現在地をゾーン内に含む接続先に接続する携帯型情報端末が、複数の接続先にそれぞれ対応した認証情報に基づいて認証を受けた後に、認証された前記接続先に接続する接続機能を発揮させる接続プログラムであって、各前記接続先では、前記携帯型情報端末毎の認証情報を提供する認証情報提供手段として、前記携帯型情報端末では、現在地を測位する測位手段と、前記現在地をゾーン内に含む接続先に対応した前記認証情報を入力する認証情報入力手段と、前記接続先から取得された前記認証情報と入力された前記認証情報とにより認証を行う認証手段と、前記認証後に、認証した前記接続先に接続する接続手段として機能させることを特徴とする接続プログラムにより、達成される。
請求項８の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、接続先からその認証情報を取得すると共に、測位した現在地をゾーン内に含む接続先に対応した認証情報が入力される。そして、携帯型情報端末では、取得された認証情報と入力された認証情報とによって認証が行なわれ、認証後に次の接続先に接続する。このようにすると、携帯型情報端末は、ある接続先に接続中に移動し、新しい次の接続先に切り替える際に認証が行われることで、セキュリティを守ることができるようになる。
【００１３】
上記目的は、請求項９の発明にあっては、移動可能であって、移動先の現在地をゾーン内に含む接続先に接続する携帯型情報端末が、複数の接続先にそれぞれ対応した認証情報に基づいて認証を受けた後に、認証された前記接続先に接続する接続機能を発揮させる接続プログラムを記録したコンピュータ読み取り可能な情報記録媒体であって、各前記接続先では、前記携帯型情報端末毎の認証情報を提供する認証情報提供手段として、前記携帯型情報端末では、現在地を測位する測位手段と、前記現在地をゾーン内に含む接続先に対応した前記認証情報を入力する認証情報入力手段と、前記接続先から取得された前記認証情報と入力された前記認証情報とにより認証を行う認証手段と、前記認証後に、認証した前記接続先に接続する接続手段として機能を発揮させる接続プログラムを記録したことを特徴とするコンピュータ読み取り可能な情報記録媒体により、達成される。
請求項９の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、接続先からその認証情報を取得すると共に、測位した現在地をゾーン内に含む接続先に対応した認証情報が入力される。そして、携帯型情報端末では、取得された認証情報と入力された認証情報とによって認証が行なわれ、認証後に次の接続先に接続する。このようにすると、携帯型情報端末は、ある接続先に接続中に移動し、新しい次の接続先に切り替える際に認証が行われることで、セキュリティを守ることができるようになる。
【００１４】
上記目的は、請求項１０の発明にあっては、複数の接続先にそれぞれ対応した認証情報に基づいて認証を受けた後に、認証された前記接続先に接続する携帯型情報端末であって、現在地を取得する測位手段と、前記現在地をゾーン内に含む接続先に対応した前記認証情報を入力する認証情報入力手段と、前記接続先から取得された前記認証情報と入力された前記認証情報とにより認証を行う認証手段と、前記認証後に、認証した前記接続先に接続する接続手段とを備えることを特徴とする携帯型情報端末により、達成される。
請求項１０の構成によれば、携帯型情報端末は、現在、ある接続先に接続しており、移動中である。この携帯型情報端末がある程度の距離を移動すると、その元々の接続先のゾーンから外れ、次の接続先のゾーン内に入る。この携帯型情報端末は、次の接続先に対して接続を試みる。まず、携帯型情報端末は、接続先からその認証情報を取得すると共に、測位した現在地をゾーン内に含む接続先に対応した認証情報が入力される。そして、携帯型情報端末では、取得された認証情報と入力された認証情報とによって認証が行なわれ、認証後に次の接続先に接続する。このようにすると、携帯型情報端末は、ある接続先に接続中に移動し、新しい次の接続先に切り替える際に認証が行われることで、セキュリティを守ることができるようになる。
【００１５】
【発明の実施の形態】
以下、本発明の好適な実施の形態を図面に基づいて説明する。
＜第１実施形態＞
図１は、本発明の第１実施形態としての携帯型情報端末を有する接続システム１００の構成例を示すシステム構成図である。
携帯型情報端末の一例としてのノート型パーソナルコンピュータ（以下「コンピュータ」という）１は、例えば持ち運び可能な小型コンピュータである。尚、この携帯型情報端末としては、このようなコンピュータ以外にもＰＤＡ（Ｐｅｒｓｏｎａｌ　Ｄｉｇｉｔａｌ　Ａｓｓｉｓｔａｎｔ）、携帯電話機であっても良いことはいうまでもない。
【００１６】
接続システム１００は、コンピュータ１並びに、このコンピュータ１が接続する複数の接続先の一例としての第１基地局１０及び第２基地局１２を備え、コンピュータ１が例えば無線で第１基地局１０及び第２基地局１２にそれぞれ選択して接続する構成となっている。尚、この接続システム１００では、第１基地局１０及び第２基地局１２の代わりに、例えば有線でデータ通信を行う第１ネットワーク及び第２ネットワークにコンピュータ１がそれぞれ選択して接続する構成であっても良いことはいうまでもない。
【００１７】
第１基地局１０及び第２基地局１２は、それぞれコンピュータ１との間で無線によりデータ通信を行う機能を有する。これら第１基地局１０及び第２基地局１２は、それぞれ自らに接続する際に、接続するコンピュータ１に対して要求する認証情報を管理しており、これらコンピュータ１毎の認証情報を提供する機能を有する。尚、基地局の数は、２局のみならず３局以上であっても良いことはいうまでもない。
【００１８】
コンピュータ１は、上述のように第１基地局１０及び第２基地局１２に対してそれぞれ選択して接続するための機能を有する。このコンピュータ１と第１基地局１０及び第２基地局１２とは、例えばＴＣＰ／ＩＰ（Ｔｒａｎｓｍｉｓｓｉｏｎ　Ｃｏｎｔｒｏｌ　Ｐｒｏｔｏｃｏｌ／Ｉｎｔｅｒｎｅｔ　Ｐｒｏｔｏｃｏｌ）に従ってデータ通信を行う機能を有する。また、このコンピュータ１は、使用者によって携帯され、第１ゾーン１０ａや第２ゾーン１２ａ、或いはその他のゾーンへと移動されるようになっている。この第１ゾーン１０ａは、第１基地局１０にコンピュータ１が無線によって接続可能な範囲を示しており、第２ゾーン１２ａは、第２基地局１２にコンピュータが無線によって接続可能な範囲を示している。つまり、第１ゾーン１０ａは第１基地局１０に対応した範囲であり、第２ゾーン１２ａは第２基地局１２に対応した範囲である。
【００１９】
このコンピュータ１は、後述するように、例えばＧＰＳ（Ｇｌｏｂａｌ　Ｐｏｓｉｔｉｏｎｉｎｇ　Ｓｙｓｔｅｍ）使用して現在地を測位する機能を有し、その現在地をゾーン内に含む接続先としての第１基地局１０や第２基地局１２に接続する機能を有する。具体的には、このコンピュータ１は、例えば第１基地局１０に接続中であって移動中に第１ゾーン１０ａから第２ゾーン１２ａに入ると、第１基地局１０から第２基地局１２へ接続先を変更する。第２基地局１２は、コンピュータ１の接続の際にコンピュータ１に対して、例えばアカウントやパスワードのいずれか又はこれらの組み合わせを要求する。尚、要求する認証情報は、これらの代わりに、鍵データ等の認証コードであっても良いことはいうまでもない。
【００２０】
このコンピュータ１は、図示しないマウス、表示部２及び本体３を備えており、本体３には文字や記号を入力するためのキーボード５が設けられている。このキーボード５は、コンピュータ１の操作者によって、表示部２に表示された所定のウィンドウの入力欄に、パスワード等を入力するための操作手段である。尚、このパスワード等は、図示しないマウスのようなポインティングデバイスやタブレット１４によって入力されるようにしても良い。
【００２１】
図２は、図１のコンピュータ１のハードウェア構成例を示すブロック図である。
コンピュータ１は、ＣＰＵ１１ａ、ＲＡＭ１１ｂ、ＲＯＭ１１ｃ、操作部１１ｄ、表示部１１ｇ、通信部１１ｅ及びＧＰＳ信号受信部１１ｈを備えている。
【００２２】
ＣＰＵ１１ａは、中央演算処理部であり、ＲＡＭ１１ｂを作業領域として、上記接続機能を有する接続プログラム９９を動作させたり、バス１１ｉに接続されたＲＯＭ１１ｃ等を制御している。このＲＯＭ１１ｃは、読み出し専用の情報記録媒体であり、書き換え可能な不揮発性メモリであるフラッシュＲＯＭも含んでいても良い。
【００２３】
ＲＡＭ１１ｂは、上記プログラムを実行するための作業ゾーンとしての機能を有する。操作部１１ｄは、表示部１１ｇの画面に表示されたボタン等のオブジェクトを操作するための図示しないマウス、タブレット１４、キーボード５等の操作手段である。
【００２４】
表示部１１ｇは、文字や図形を表示する機能を有する表示手段であり、例えばＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）である。通信部１１ｅは、例えばネットワークカードであり、コンピュータ１の外部である第１基地局１０や第２基地局１２とデータ通信を行う機能を有する。
【００２５】
ＧＰＳ（Ｇｌｏｂａｌ　Ｐｏｓｉｔｉｏｎｉｎｇ　Ｓｙｓｔｅｍ）信号受信部１１ｈは、衛星からのＧＰＳ信号を受信する機能を有し、このＧＰＳ信号に基づいて現在地を把握することができる。ここで、現在地等の位置情報は、例えば緯度、経度及び高さで示される。
【００２６】
図３は、図１の第１基地局１０や第２基地局１２のソフトウェアの構成例を示すブロック図である。尚、第１基地局１０と第２基地局１２とは、互いに距離が離れている点及び認証情報５５の内容が異なる点を除いて同様の構成であるので、第１基地局１０について説明する。
第１基地局１０は、接続処理部５７、認証情報５５、認証情報提供部５３及び通信部５１を備えている。認証情報５５は、上記コンピュータ１がこの第１基地局１０に接続する際に行う認証に必要な情報、例えば上記アカウントやパスワード或いは鍵データである。尚、この認証情報５５は、例えばコンピュータ１が接続する先を示すアクセスポイントであっても良いことはいうまでもない。認証情報提供部５３は、コンピュータ１からの要求に応じて通信部５１を制御して、コンピュータ１毎の認証情報５５をコンピュータ１に提供する機能を有する。
【００２７】
通信部５１は、認証情報提供部５３や接続処理部５７の制御により、コンピュータ１との間でデータ通信を行う機能を有する。この接続処理部５７は、認証後にコンピュータ１と接続するための一連の処理を行う機能を有する。具体的には、この接続処理部５７は、コンピュータ１が接続処理を開始すると、例えばアカウントを図５のように表示し、このアカウントに対応するパスワードの入力をコンピュータ１側に要求する。そして、この接続処理部５７は、例えばパスワードが適切であると認証し、コンピュータ１が第１基地局１０に接続することを許可する。
【００２８】
図４は、図１のコンピュータ１に搭載されたソフトウェアの構成例を示すブロック図である。まず、コンピュータ１の概要について説明する。
コンピュータ１は、移動可能であって、移動先の現在地をゾーン（上記第１ゾーン１０ａや第２ゾーン１２ａ）として含む接続先（上記第１基地局１０や第２基地局１２）に接続する機能を有する。
【００２９】
このコンピュータ１は、現在地を取得する測位手段（ＧＰＳ受信部制御部３１）と、その現在地をゾーン内に含む接続先に対応した認証情報を入力する認証情報入力手段（後述する図５の認証情報入力画面）と、その接続先から取得された認証情報と入力された認証情報とにより認証を行う認証手段（認証部３８）と、その接続先による認証後に、認証した接続先に接続する接続手段（接続処理部３５）とを備えている。以下より具体的に説明する。
【００３０】
このコンピュータ１は、図示しないオペレーティングシステム上で、ゾーンデータテーブル４１、ゾーン判定部３７、ＧＰＳ受信部制御部３１、通信部３３、接続処理部３５及び認証部３８を、例えばソフトウェアとして備えている。
ゾーンデータテーブル４１は、第１ゾーン１０ａ等の各ゾーンに関する情報を管理しており、例えばゾーンコード、ゾーン種類、中心位置、ゾーン半径に関する情報を有している。
【００３１】
ＧＰＳ受信部制御部３１は、図２のＧＰＳ信号受信部１１ｈを制御するドライバソフトウェアである。図４のＧＰＳ受信部制御部３１は、ゾーン判定部３７の制御により、図２のＧＰＳ信号受信部１１ｈによって測位された現在地に関する位置情報を取得する機能を有する。図４のゾーン判定部３７は、コンピュータ１が現在、どのゾーン内に存在しているかを判断する機能を有する。
【００３２】
このゾーン判定部３７は、ゾーンデータテーブル４１からのゾーンに関する情報に基づいて、コンピュータ１がどのゾーンに存在しているかを判定する。そして、このゾーン判定部３７は、コンピュータ１が属する接続先に対して、このゾーンに関する認証情報を要求し、認証情報を取得する。ここで、取得された認証情報としては、この接続先のアカウントに対するパスワードである。
【００３３】
認証部３８は、図５に示すような認証情報として、例えばパスワードを要求する。そして、図４の接続処理部３５は、認証部３８の認証結果に応じて、つまり入力した認証情報と取得された認証情報とにより認証を行った結果により、例えば一致していなければ接続処理を行わず、一致していれば通信部３３を制御して接続先としての第１基地局１０や第２基地局１２を選択して接続する。このようにして図１のコンピュータ１は、第１基地局１０や第２基地局１２との間でデータ通信を行う。
【００３４】
接続システム１００は以上のような構成であり、次に図１〜図５を参照しつつその動作例について説明する。
図６は、接続システム１００の動作例を示すフローチャートであり、図７は、コンピュータ１が第１基地局１０から第２基地局１２に移動される様子の一例を示す図である。
まずステップＳＴ１では、操作者がコンピュータ１を携帯しており、コンピュータ１が操作者によって移動されている。次にステップＳＴ２では、コンピュータ１が、図４のＧＰＳ受信部制御部３１の制御によって、図２のＧＰＳ信号受信部１１ｈに現在地を測位させる。次にステップＳＴ３では、図４のゾーン判定部３７が、ゾーンデータテーブル４１からゾーンに関する情報を取得し、測位した現在地に基づいて、コンピュータ１がどのゾーンに存在しているかを判断する。ここで、コンピュータ１は、例えば図７の第１ゾーン１０ａ内に存在しているものとする。
【００３５】
次にステップＳＴ４では、コンピュータ１が、図４のゾーン判定部３７の制御により認証部３８を動作させる。認証部３８は、第１基地局１０から、認証情報５５としてアカウントとパスワードを取得する。次にステップＳＴ５では、この認証部３８が、図５に示す認証情報入力画面を、コンピュータ１の表示部１１ｇに表示させ、コンピュータ１の使用者に認証情報として、例えばパスワードの入力を要求する。次に認証部３８は、入力された認証情報と、取得された認証情報とにより認証を行い、例えば一致していれば接続処理部３５に通信部３３を制御させ第１基地局１０に接続する処理を行わせ、一致していなければ接続処理を中止させる。認証された後、ステップＳＴ６では、接続処理部３５が通信部３３を制御することで、コンピュータ１が第２基地局１２に接続を行い、コンピュータ１が第２基地局１２との間でデータ通信を行うことができるようになる。
【００３６】
次にステップＳＴ７では、図７に示すように操作者がコンピュータ１を携帯したまま第２ゾーン１２ａ内に移動する。そして、ステップＳＴ８では、コンピュータ１が、ステップＳＴ２と同様に現在地を測位する。次にステップＳＴ９では、ステップＳＴ３と同様にゾーン判定部３７によって、コンピュータ１が第２ゾーン１２ａ内に存在していることを判別する。次にステップＳＴ１０では、ステップＳＴ４と同様に接続処理部３５による接続処理が開始される。
【００３７】
次にステップＳＴ１１では、ステップＳＴ５と同様に認証部３８によって、例えば図５に示す認証情報入力画面にてパスワード等の認証情報の入力を要求し、コンピュータ１が新しい接続先としての第２基地局１２に接続するための認証が行われる。認証された後、ステップＳＴ１２では、ステップＳＴ６と同様に接続処理部３５が通信部３３を制御することで、コンピュータ１が第２基地局１２に接続を行い、コンピュータ１が第２基地局１２との間でデータ通信を行うことができるようになる。
【００３８】
本発明の第１実施形態によれば、ある接続先としての第１基地局１０に接続中のコンピュータ１等の携帯型情報端末が移動して次の接続先としての第２基地局１２に切り替える際に、次の第２基地局１２に対する認証を行うことでセキュリティを守ることができる。
【００３９】
＜第２実施形態＞
図８は、本発明の第２実施形態としての接続システム１００ａに含まれるコンピュータ１ａの構成例を示すブロック図である。
本発明の第２実施形態としての接続システム１００ａでは、図１〜図７において第１実施形態としての接続システム１００と同一の符号を付した箇所は同じ構成であるから説明を省略し、以下主として異なる点について説明する。
【００４０】
このコンピュータ１ａは、第１実施形態において図２のＧＰＳ信号受信部１１ｈがバス１１ｉに接続された構成となっている代わりに、第１実施形態におけるＧＰＳ信号受信部１１ｈの機能と同様の機能を有するカード状デバイスが、着脱可能に装着される構成となっている。つまり、コンピュータ１には、図８に示すようにインターフェース１１ｊが設けられており、このインターフェース１１ｊにはＧＰＳ信号受信部１１ｈが着脱可能に装着される構成となっている。
【００４１】
ここでコンピュータ１ａにおいて特徴的なことは、着脱可能なＧＰＳ信号受信部１１ｈがコンピュータ１ａの本体から取り外されていると、コンピュータ１ａが機能しないように構成されていることである。具体的には、コンピュータ１ａはＧＰＳ信号受信部１１ｈが装着されていると、例えばコンピュータ１ａの電源がＯＮ可能であり、取り外されているとＯＦＦ状態を維持する構成となっている。
【００４２】
本発明の第２実施形態によれば、第１実施形態とほぼ同様の効果を発揮することができるとともに、これに加えて、例えばＧＰＳ信号受信部１１ｈを取り外したコンピュータ１ａを盗んでもコンピュータ１ａが使用できない状態なので、コンピュータ１ａの盗難を予防することができる。
【００４３】
＜第３実施形態＞
本発明の第３実施形態としての接続システム１００ｂでは、図１〜図７において第１実施形態としての接続システム１００と、図８において第２実施形態としての接続システム１００ａと同一の符号を付した箇所は同じ構成であるから説明を省略し、主として異なる点について説明する。
【００４４】
この接続システム１００ｂでは、図４において点線で示すようにコンピュータ１ｂが少なくとも１つの機能（第１機能４３）を備えており、認証後に接続した接続先に応じて、接続処理部３５がその第１機能４３を発揮させたり発揮させないように切り替えることができる構成となっている。
【００４５】
本発明の第３実施形態によれば、第１実施形態や第２実施形態とほぼ同様の効果を発揮することができるとともに、これに加えて、接続先に関する機能のみを有効としたり無効とすることができるので、その接続先に適した機能のみを有効とすることができる。
【００４６】
＜第４実施形態＞
本発明の第４実施形態としての接続システム１００ｃでは、図１〜図７において第１実施形態としての接続システム１００と、図８において第２実施形態としての接続システム１００ａと同一の符号を付した箇所は同じ構成であるから説明を省略し、以下主として異なる点について説明する。
【００４７】
この接続システム１００ｃでは、図４において点線で示すようにコンピュータ１ｃが複数の機能（第１機能４３及び第２機能４５）を備えており、認証後に接続した接続先に応じて、その複数の機能から選択された少なくとも１つの機能（第１機能４３や第２機能４５）を発揮できるように有効とする構成としている。
【００４８】
本発明の第４実施形態によれば、第１実施形態や第２実施形態とほぼ同様の効果を発揮することができるとともに、これに加えて、コンピュータ１ｃが、接続先に関するゾーンに関係のない不要な機能を発揮しないようにすることができる。
【００４９】
＜第５実施形態＞
図９は、第５実施形態としての接続システム１００ｄによるセキュリティ管理の一例を示す概念図である。
本発明の第５実施形態としての接続システム１００ｄでは、図１〜図７において第１実施形態としての接続システム１００と、図８において第２実施形態としての接続システム１００ａと、図１〜図８において第３実施形態及び第４実施形態としての接続システム１００ｂ，１００ｃと同一の符号を付した箇所は同じ構成であるから説明を省略し、以下主として異なる点について説明する。
【００５０】
この接続システム１００ｄでは、第１実施形態としての接続システム１００等のように異なるゾーンに移動した際に再度認証を行う代わりに、コンピュータ１ｄが一定距離移動した場合に、再度、パスワード等の入力を要求する構成となっている。具体的には、コンピュータ１ｄは、例えば一定周期毎にＧＰＳ信号受信部１１ｈによって現在地が取得されており、一定周期の時間後に、例えば図９に示すように中心ＣＴＲから距離Ｌ以上移動していることを判別すると、図５に示す認証情報入力画面が表示され、再度認証情報の入力を要求する。
【００５１】
本発明の第５実施形態によれば、第１実施形態乃至第４実施形態のいずれかとほぼ同様の効果を発揮することができるとともに、これに加えて、一定距離以上移動するコンピュータ１ｄが接続先に接続する際のセキュリティを確保することができる。
【００５２】
本発明は、上記実施の形態に限定されず、特許請求の範囲を逸脱しない範囲で種々の変更を行うことができる。
例えば、上記実施形態の各構成は、その一部を省略したり、上記とは異なるように任意に組み合わせることができる。
【００５３】
接続システム１００を動作させる上述の接続機能を有する接続プログラムは、上述のようにコンピュータ等の電子機器にインストールされ動作している形態のみならず、例えばフレキシブルディスク、ＣＤ（Ｃｏｍｐａｃｔ　Ｄｉｓｃ：商標名）、ＣＤ−Ｒ（Ｃｏｍｐａｃｔ　Ｄｉｓｃ−Ｒｅｃｏｒｄａｂｌｅ）、ＣＤ−ＲＷ（Ｃｏｍｐａｃｔ　Ｄｉｓｃ−ＲｅＷｒｉｔｅｒｂｌｅ）又はＤＶＤ（Ｄｉｇｉｔａｌ　Ｖｅｒｓａｔｉｌｅ　Ｄｉｓｃ）等の情報記録媒体に格納されて流通されている形態でも良い。
【００５４】
また、この接続プログラムは、上記情報記録媒体に格納されている形態のみならず、無線又は有線によってデータ通信を行うネットワーク等の伝送媒体に接続されたコンピュータ等の電子機器に記録されており、ネットワーク等の伝送媒体を経由してユーザのコンピュータ等の電子機器にダウンロードされる形態であっても良い。
【００５５】
【発明の効果】
本発明によれば、ある接続先に接続中の携帯型情報端末が移動して次の接続先に切り替える際に、次の接続先に対する認証を行うことでセキュリティを守ることができる接続システム、接続方法、接続機能を有する接続プログラム、接続機能を有する接続プログラムを記録したコンピュータ読み取り可能な情報記録媒体及び、携帯型情報端末を提供することができる。
【図面の簡単な説明】
【図１】本発明の第１実施形態としての携帯型情報端末を有する接続システムの構成例を示すシステム構成図。
【図２】図１のコンピュータのハードウェア構成例を示すブロック図。
【図３】図１の第１基地局や第２基地局のソフトウェアの構成例を示すブロック図。
【図４】図１のコンピュータに搭載されたソフトウェアの構成例を示すブロック図。
【図５】認証情報入力画面の一例を示す図。
【図６】接続システムの動作例を示すフローチャート。
【図７】コンピュータが第１基地局から第２基地局に移動される様子の一例を示す図。
【図８】本発明の第２実施形態としての接続システムに含まれるコンピュータの構成例を示すブロック図。
【図９】第５実施形態としての接続システムによるセキュリティ管理の一例を示す概念図。
【符号の説明】
１，１ａ，１ｂ，１ｃ，１ｄ・・・コンピュータ（携帯型情報端末），１０・・・第１基地局（接続先），１０ａ・・・第１ゾーン，１１ｈ・・・ＧＰＳ信号受信部（測位手段），１２・・・第２基地局（接続先），１２ａ・・・第２ゾーン，３１・・・ＧＰＳ受信部制御部（測位手段），３５・・・接続処理部（接続手段），３８・・・認証部（認証手段），９９・・・接続プログラム，１００，１００ａ，１００ｂ，１００ｃ，１００ｄ・・・接続システム
【図１】
2004096450.tif 000003
【図２】
2004096450.tif 000004
【図３】
2004096450.tif 000005
【図４】
2004096450.tif 000006
【図５】
2004096450.tif 000007
【図６】
2004096450.tif 000008
【図７】
2004096450.tif 000009
【図８】
2004096450.tif 000010
【図９】
2004096450.tif 000011